(57)【要約】【課題】カバー面に防犯ブザー携帯表示の印刷を施しやすく、しかも色移行が生じないとともに、装着に便利で使いやすいランドセル用カバーを提供する。【解決手段】ランドセルの冠１２の外側面を被覆する被覆面を、表側を塩化ビニル系合成樹脂シート２、裏側をオレフィン系合成樹脂シート１の重合シートにより形成し、重合シート周縁は縁布７，８で縫着し、裏側には印刷を施さず、裏側下部に同素材シートを重合してポケット部を形成し、このポケットに冠の先端部を挿着できるようにし、表側シートに防犯ブザーをイメージする模様と注意喚起表記を大きく表示した。【選択図】図１
2007312879.tif 000002
【特許請求の範囲】
【請求項１】
ランドセルの冠の外側面を被覆する被覆面を有するカバーであって、被覆面は表側を塩化ビニル系合成樹脂シート、裏側をオレフィン系合成樹脂シートとしてなる重合シートにより形成し、重合シート周縁は縁取りして縫着し、裏側には印刷を施さず、表側の塩化ビニル系合成樹脂シートに印刷を施した構成を有するランドセル用カバー。
【請求項２】
裏側の下部にオレフィン系合成樹脂シートを重合してポケット部を形成し、このポケットに冠の先端部を挿着できるようにしてなる請求項１に記載のランドセル用カバー。
【請求項３】
表側シートのカバー面に防犯ブザーをイメージする模様乃至注意喚起表記を大きく表してなる請求項１又は２に記載のランドセル用カバー。
【発明の詳細な説明】
【技術分野】
【０００１】
本発明はランドセルの冠（ランドセル本体の蓋）を覆うカバーに関する。
【背景技術】
【０００２】
ランドセルのカバーは、ランドセル全体を覆うタイプと冠を覆うタイプとがある。後者のものは、上下に金具を通す開口部を設けて冠を覆うカバー体を形成する形態とし、かつ、カバー体を撥水地乃至防水地で形成した例が下記特許文献１，２に示されている。
【特許文献１】実用新案登録第３０７７２７８号公報
【特許文献２】実用新案登録第３０８７８０６号公報
【発明の開示】
【発明が解決しようとする課題】
【０００３】
しかしながら、冠を覆うタイプの従来型は、カバーと冠面が密着しやすいことから、カバーの生地の色乃至カバー面に施した模様などの印刷が冠面に付着し、或いは冠生地の色がカバー面に付着するなど色移行が生じやすい問題があった。一方、カバー面はランドセルを背負った児童を外観視するときに最も目立ちやすい平面であり、模様などの表示を施すには有効である。それ故、特に近時多発傾向にある犯罪防止対策としてカバー面を活用することは効果的である。
本発明は、上記のような従来の問題点を究明するとともにカバー面の有効性に着目することによりなしたものであり、カバー面に所望の印刷を施しやすく、しかも色移行が生じないとともに、装着に便利で使いやすいランドセル用カバーを提供せんとするものである。
【課題を解決するための手段】
【０００４】
上記課題を解決するために、本発明は、ランドセルの冠の外側面を被覆する被覆面を有するカバーであって、被覆面は表側を塩化ビニル系合成樹脂シート、裏側をオレフィン系合成樹脂シートとしてなる重合シートにより形成し、重合シート周縁は縁取りして縫着し、裏側には印刷を施さず、表側の塩化ビニル系合成樹脂シートに印刷を施してランドセル用カバーを構成するようにしたことを特徴とする。
上記裏側の下部にはオレフィン系合成樹脂シートを重合してポケット部を形成し、このポケットに冠の先端部を挿着できるようにすることが好ましく、表側シートのカバー面には防犯ブザーをイメージする模様と注意喚起表記を大きく表してカバーを構成することが好ましい。
なお、表側カバー面或いは縁取りなどに反射面を形成することなどは任意である。
【発明の効果】
【０００５】
本発明によれば、ランドセルの冠面と密着し摩擦しやすい裏側をオレフィン系合成樹脂としたので、ダイオキシンなどの有害物質を発散させないカバーとすることができ、かつ、この面には印刷や着色を施さないことにより、冠との間に色移行を生じることがない。表側シートを塩化ビニル系合成樹脂としたので、この面に色移行のおそれなく安定して外観視鮮明な印刷が可能であり、かつ、折れ筋が付き難いので、カバー取扱いに便利であるとともに、カバーを良好な状態で維持することができる。
裏側下部にはオレフィン系合成樹脂シートによるポケットが形成してあることにより、カバーの冠被着状態を安定させ、かつ色移行を生じさせない。
表側カバー面に防犯ブザーをイメージする模様と表記を大きく表すことにより、ランドセル着用者が防犯ブザーを携帯していることを後方にアピールできるので、犯罪防止に寄与し得る。模様乃至表記は所望に表すことができる。
【発明を実施するための最良の形態】
【０００６】
以下、本発明の一実施形態を図面とともに説明する。
図１は本発明に係るランドセル用カバーの分解構造を示しており、１は冠に接触する側のカバー面となるオレフィン系合成樹脂製の裏側シート、２は同形で塩化ビニル系合成樹脂製の表側シートであり、冠外側面に被着するに十分な大きさを有した重合シートとしてある。３は上記裏側シート１の下部に重合して上辺を開口したポケット４を形成するオレフィン系合成樹脂製のポケットシートであり、面内の下部に横長スリット５を形成し、このスリットによる開口部から冠下端部に固着してある止め具（バックル）を露出できるようにしてある。
【０００７】
６は上記裏側シート１の上端部付近において左右両端から両端間に伸びた取付ベルトであり、中間部をベルベット式ファスナーなどの止着部により開閉自在としてある。
７、８は防水性の縁布であり、重合シート１，２の周縁を押さえて縫着してある。縫着により表裏側シートが異材質であっても確実に固着が可能である。縫着に際しては、ポケットシート３の左右辺と下辺、取付ベルト６，６の付け根部も同時に挟み込んで同時縫着してある。最後に縫着する上辺の縁布８の中央部にはリング状の掛止部９を取り付けてある。
【０００８】
上記表側シート２には、図２，４に示す如く、ランドセル１１の冠１２の垂下面外側に大きく表れるように、防犯ブザーの図案１０を表わし、「防犯ブザー携帯中」の如き注意喚起表記を表わしてある。
【０００９】
上記カバーの使用は、裏側シート１がランドセルの冠１２の外側面に重なるようにし、取付ベルト６，６を冠付け根部の裏側に回して止め付け、冠下端部をポケット４内に挿着し、冠下端部のランドセル本体への止め具をスリット５から露出させればよい。
【００１０】
なお、ポケットシート３は上記のように裏側シート１と別体に型出するのではなく、裏側シートを下方にポケットシート分だけに長く形成し、ポケットシート部分を折り返して重合させるように形成してもよいものである。
また、上記構成は一実施例であるので、各部の構成、形状は上記記載に限定されるものではなく変更可能である。
【図面の簡単な説明】
【００１１】
【図１】本発明に係るカバーの分解状態を示す斜視図である。
【図２】図１のカバーを示し、（Ａ）は表側面図、（Ｂ）は裏側面図である。
【図３】図２のIII−III線切断部部分端面図である。
【図４】カバーの装着状態を示す斜視略図である。
【符号の説明】
【００１２】
１裏側シート、      ２表側シート、      ３ポケットシート、      ４ポケット、
５スリット、        ６取付ベルト、      ７，８縁布、            ９掛止部、
１０図案、          １１ランドセル、    １２冠。
【図１】
2007312879.tif 000003
【図２】
2007312879.tif 000004
【図３】
2007312879.tif 000005
【図４】
2007312879.tif 000006
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
ランドセルの冠の外側面を被覆する被覆面を有するカバーであって、被覆面は表側を塩化ビニル系合成樹脂シート、裏側をオレフィン系合成樹脂シートとしてなる重合シートにより形成し、重合シート周縁は縁取りして縫着した構成を有するランドセル用カバー。
【請求項２】
ランドセルの冠の外側面を被覆する被覆面を有するカバーであって、被覆面は表側を塩化ビニル系合成樹脂シート、裏側をオレフィン系合成樹脂シートとしてなる重合シートにより形成し、重合シート周縁は縁取りして縫着し、裏側には印刷を施さず、表側の塩化ビニル系合成樹脂シートに印刷を施した構成を有するランドセル用カバー。
【請求項３】
裏側の下部にオレフィン系合成樹脂シートを重合してポケット部を形成し、このポケットに冠の先端部を挿着できるようにしてなる請求項１に記載のランドセル用カバー。
【請求項４】
表側シートのカバー面に防犯ブザーをイメージする模様乃至注意喚起表記を大きく表してなる請求項１又は２に記載のランドセル用カバー。